(57)【要約】【課題】画像処理開始画面上で、画像処理内容の確認及び変更を可能にする。【解決手段】画像処理対象を指定するための処理対象識別標識を画像処理装置の操作入力手段の表示画面上に表示する標識表示方法において、前記処理対象識別標識に表示された画像処理対象に関連する少なくとも一つの関連情報を表す関連情報標識を、前記操作入力手段の表示画面上に、前記処理対象識別標識と共に一体的に表示することを特徴とする画像処理装置における標識表示方法。【選択図】図１
2006227740.tif 000002
【特許請求の範囲】
【請求項１】
画像処理対象を指定するための処理対象識別標識を画像処理装置の操作入力手段の表示画面上に表示する標識表示方法において、
前記処理対象識別標識に表示された画像処理対象に関連する少なくとも一つの関連情報を表す関連情報標識を、前記操作入力手段の表示画面上に、前記処理対象識別標識と共に一体的に表示することを特徴とする画像処理装置における標識表示方法。
【請求項２】
前記画像処理対象は、異なる複数種類の記録媒体に記録された画像情報であることを特徴とする請求項１に記載の画像処理装置における標識表示方法。
【請求項３】
前記処理対象識別標識及び／又は前記関連情報標識は、変更可能であることを特徴とする請求項１又は２に記載の画像処理装置における標識表示方法。
【請求項４】
前記関連情報標識は、画像処理の内容を表すことを特徴とする請求項１から３の何れか一項に記載の画像処理装置における標識表示方法。
【請求項５】
前記関連情報標識は、画像処理内容を登録した登録番号を表すことを特徴とする請求項１から４の何れか一項に記載の画像処理装置における標識表示方法。
【請求項６】
前記画像処理装置はポインティングデバイスを備え、前記ポインティングデバイスによって表示させるカーソルが、処理対象識別標識を指示した時に、当該処理対象識別標識に関連する画像処理内容表示を選択可能に一覧表示することを特徴とする請求項１から５の何れか一項に記載の画像処理装置における標識表示方法。
【請求項７】
前記ポインティングデバイスによって表示させるカーソルが、処理対象識別標識を指示した時に、当該処理対象識別標識に関連する画像処理内容に対応づけられた表示を表示することを特徴とする請求項１から６の何れか一項に記載の画像処理装置における標識表示方法。
【請求項８】
画像処理装置のコンピュータに、画像処理対象を指定するための処理対象識別標識を操作入力手段の表示画面上に表示させる表示制御手段として機能させるプログラムであって、
前記処理対象識別標識に表示された画像処理対象に関連する少なくとも一つの関連情報を表す関連情報標識を、前記表示画面上に前記処理対象識別標識と共に一体的に表示させる表示制御手段として機能させることを特徴とするプログラム。
【請求項９】
前記画像処理対象は、異なる複数種類の記録媒体に記録された画像情報であることを特徴とする請求項８に記載のプログラム。
【請求項１０】
前記処理対象識別標識及び／又は前記関連情報標識は、変更可能であることを特徴とする請求項８又は９に記載のプログラム。
【請求項１１】
前記関連情報標識は、画像処理の内容を表すことを特徴とする請求項８から１０の何れか一項に記載のプログラム。
【請求項１２】
前記関連情報標識は、画像処理内容を登録した登録番号を表すことを特徴とする請求項８から１１の何れか一項に記載のプログラム。
【請求項１３】
前記画像処理装置はポインティングデバイスを備え、前記ポインティングデバイスによって表示させるカーソルが、処理対象識別標識を指示した時に、当該処理対象識別標識に関連する画像処理内容表示を選択可能に一覧表示させる表示制御手段として機能させることを特徴とする請求項８から１２の何れか一項に記載のプログラム。
【請求項１４】
前記ポインティングデバイスによって表示させるカーソルが、処理対象識別標識を指示した時に、当該処理対象識別標識に関連する画像処理内容に対応づけられた表示を表すことを特徴とする請求項８から１３の何れか一項に記載のプログラム。
【請求項１５】
処理対象画像情報が記録された記録媒体を指定するための処理対象識別標識を操作入力手段の表示画面上に表示させ、前記表示された処理対象識別標識を介して指定された記録媒体の記録画像情報を取得し、この取得した画像情報に予め設定された画像処理内容に従って画像処理を施す画像処理装置において、
前記処理対象識別標識で表される記録媒体の画像情報に対して設定された画像処理に関連する少なくとも一つの関連標識を、前記操作入力手段の表示画面上に、前記処理対象識別標識と共に一体的に表示させる表示制御手段を備えたことを特徴とする画像処理装置。
【請求項１６】
前記画像処理対象は、異なる複数種類の記録媒体に記録された画像情報であることを特徴とする請求項１５に記載の画像処理装置。
【請求項１７】
前記媒体識別標識及び／又は前記関連標識は変更可能であることを特徴とする請求項１５又は１６に記載の画像処理装置。
【請求項１８】
前記関連標識は、前記媒体識別標識に表された記録媒体の画像情報に対する画像処理内容を表示することを特徴とする請求項１５から１７の何れか一項に記載の画像処理装置。
【請求項１９】
前記関連標識は、前記媒体識別標識に表された記録媒体の画像情報に対する画像処理内容を登録した登録番号であることを特徴とする請求項１５から１８の何れか一項に記載の画像処理装置。
【請求項２０】
前記画像処理装置はポインティングデバイスを備え、前記ポインティングデバイスによって表示されたカーソルが、処理対象識別標識を指示した時に、当該処理対象識別標識に関連する画像処理内容表示を選択可能に一覧表示することを特徴とする請求項１５から１９の何れか一項に記載の画像処理装置。
【請求項２１】
前記ポインティングデバイスによって表示されたカーソルが、処理対象識別標識を指示した時に、当該処理対象識別標識に関連する画像処理内容に対応づけられた表示を表示することを特徴とする請求項１５から２０の何れか一項に記載の画像処理装置。
【発明の詳細な説明】
【技術分野】
【０００１】
本発明は、画像処理装置の画像処理を開始するため標識表示方法、プログラム及び画像処理装置に関する。
【背景技術】
【０００２】
近年、デジタルカメラが著しく普及している。それに伴って、画像データを印画紙にプリントしてアルバムとして保存するだけでなく、ＣＤ−Ｒ等の記録媒体に保存するサービスが一般的になりつつある。
【０００３】
また、デジタルカメラで撮影した画像をそのままプリントしたり、ＣＤ−Ｒ等に保存するのではなく、色強調やコントラストを好みの設定にする等の画像処理を施した後、印刷及び保存を行う画像処理装置が開示されている（例えば、特許文献１参照。）。
【特許文献１】特開２００４−３１２１２４号公報
【発明の開示】
【発明が解決しようとする課題】
【０００４】
しかしながら、従来の画像処理装置の画質調整設定では、ユーザは画質調整やコントラストなどの設定を、その都度、他の画面で設定し、設定を行った後画像処理を行っていた。そのため、画像の種類が変わる度に、他の画面を呼び出し、設定を変更しなければならないという手間が生じていた。また、画質調整設定を他の画面で行うため、画像処理装置の画面上に画像処理を開始するための処理対象識別標識はあるが、その画面だけでは、現在どの様な画質調整設定がされているか把握できなかった。そのため、現在の画質調整設定を確認するために、一度、他の画面を呼び出す必要があり、作業効率が悪いだけでなく、迅速なサービスを提供できないという問題があった。
【０００５】
本発明の課題は、画像処理開始画面上で、画像処理内容の確認及び変更を可能にすることである。
【課題を解決するための手段】
【０００６】
上記課題を解決するために、請求項１に記載の発明は、画像処理対象を指定するための処理対象識別標識を画像処理装置の操作入力手段の表示画面上に表示する標識表示方法において、前記処理対象識別標識に表示された画像処理対象に関連する少なくとも一つの関連情報を表す関連情報標識を、前記操作入力手段の表示画面上に、前記処理対象識別標識と共に一体的に表示することを特徴としている。
【０００７】
請求項２に記載の発明は、請求項１に記載の画像処理装置における標識表示方法において、前記画像処理対象は、異なる複数種類の記録媒体に記録された画像情報であることを特徴としている。
【０００８】
請求項３に記載の発明は、請求項１又は２に記載の画像処理装置における標識表示方法において、前記処理対象識別標識及び／又は前記関連情報標識は、変更可能であることを特徴としている。
【０００９】
請求項４に記載の発明は、請求項１から３の何れか一項に記載の画像処理装置における標識表示方法において、前記関連情報標識は、画像処理の内容を表すことを特徴としている。
【００１０】
請求項５に記載の発明は、請求項１から４の何れか一項に記載の画像処理装置における標識表示方法において、前記関連情報標識は、画像処理内容を登録した登録番号を表すことを特徴としている。
【００１１】
請求項６に記載の発明は、請求項１から５の何れか一項に記載の画像処理装置における標識表示方法において、前記画像処理装置はポインティングデバイスを備え、前記ポインティングデバイスによって表示させるカーソルが、処理対象識別標識を指示した時に、当該処理対象識別標識に関連する画像処理内容表示を選択可能に一覧表示することを特徴としている。
【００１２】
請求項７に記載の発明は、請求項１から６の何れか一項に記載の画像処理装置における標識表示方法において、前記ポインティングデバイスによって表示させるカーソルが、処理対象識別標識を指示した時に、当該処理対象識別標識に関連する画像処理内容に対応づけられた表示を表示することを特徴としている。
【００１３】
請求項８に記載の発明は、画像処理装置のコンピュータに、画像処理対象を指定するための処理対象識別標識を操作入力手段の表示画面上に表示させる表示制御手段として機能させるプログラムであって、
前記処理対象識別標識に表示された画像処理対象に関連する少なくとも一つの関連情報を表す関連情報標識を、前記表示画面上に前記処理対象識別標識と共に一体的に表示させる表示制御手段として機能させることを特徴としている。
【００１４】
請求項９に記載の発明は、請求項８に記載のプログラムにおいて、前記画像処理対象は、異なる複数種類の記録媒体に記録された画像情報であることを特徴としている。
【００１５】
請求項１０に記載の発明は、請求項８又は９に記載のプログラムにおいて、前記処理対象識別標識及び／又は前記関連情報標識は、変更可能であることを特徴としている。
【００１６】
請求項１１に記載の発明は、請求項８から１０の何れか一項に記載のプログラムにおいて、前記関連情報標識は、画像処理の内容を表すことを特徴としている。
【００１７】
請求項１２に記載の発明は、請求項８から１１の何れか一項に記載のプログラムにおいて、前記関連情報標識は、画像処理を登録した登録番号を表すことを特徴としている。
【００１８】
請求項１３に記載の発明は、請求項８から１２の何れか一項に記載のプログラムにおいて、前記画像処理装置はポインティングデバイスを備え、前記ポインティングデバイスによって表示させるカーソルが、処理対象識別標識を指示した時に、当該処理対象識別標識に関連する画像処理内容表示を選択可能に一覧表示させる表示制御手段として機能させることを特徴としている。
【００１９】
請求項１４に記載の発明は、請求項８から１３の何れか一項に記載のプログラムにおいて、前記ポインティングデバイスによって表示させるカーソルが、処理対象識別標識を指示した時に、当該処理対象識別標識に関連する画像処理内容に対応づけられた表示を表すことを特徴としている。
【００２０】
請求項１５に記載の発明は、処理対象画像情報が記録された記録媒体を指定するための処理対象識別標識を操作入力手段の表示画面上に表示させ、前記表示された処理対象識別標識を介して指定された記録媒体の記録画像情報を取得し、この取得した画像情報に予め設定された画像処理内容に従って画像処理を施す画像処理装置において、前記処理対象識別標識で表される記録媒体の画像情報に対して設定された画像処理に関連する少なくとも一つの関連標識を、前記操作入力手段の表示画面上に、前記処理対象識別標識と共に一体的に表示させる表示制御手段を備えたことを特徴としている。
【００２１】
請求項１６に記載の発明は、請求項１５に記載の画像処理装置において、前記画像処理対象は、異なる複数種類の記録媒体に記録された画像情報であることを特徴としている。
【００２２】
請求項１７に記載の発明は、請求項１５又は１６に記載の画像処理装置において、前記媒体識別標識及び／又は前記関連標識は変更可能であることを特徴としている。
【００２３】
請求項１８に記載の発明は、請求項１５から１７の何れか一項に記載の画像処理装置において、前記関連標識は、前記媒体識別標識に表された記録媒体の画像情報に対する画像処理内容を表示することを特徴としている。
【００２４】
請求項１９に記載の発明は、請求項１５から１８の何れか一項に記載の画像処理装置において、前記関連標識は、前記媒体識別標識に表された記録媒体の画像情報に対する画像処理内容を登録した登録番号であることを特徴としている。
【００２５】
請求項２０に記載の発明は、請求項１５から１９の何れか一項に記載の画像処理装置において、前記画像処理装置はポインティングデバイスを備え、前記ポインティングデバイスによって表示されたカーソルが、処理対象識別標識を指示した時に、当該処理対象識別標識に関連する画像処理内容表示を選択可能に一覧表示することを特徴としている。
【００２６】
請求項２１に記載の発明は、請求項１５から２０の何れか一項に記載の画像処理装置において、前記ポインティングデバイスによって表示されたカーソルが、処理対象識別標識を指示した時に、当該処理対象識別標識に関連する画像処理内容に対応づけられた表示を表示することを特徴としている。
【発明の効果】
【００２７】
本発明によれば、画像処理開始画面上で、画像処理内容の確認及び変更を行うことにより、効率よく作業を行うことができ、迅速なサービスを提供することが可能である。
【発明を実施するための最良の形態】
【００２８】
以下、図面を参照して、本発明の実施形態について詳細に説明する。なお、以下、画像処理対象を指定するための処理対象識別標識をアイコンと称する。
【００２９】
まず、本発明の実施形態における構成について説明する。図１に、画像処理装置１の概観構成における斜視図を示す。図１に示すように、画像処理装置１は、本体２の一側面に感光材料を装填するためのマガジン装填部３を備える。本体２の内部には、感光材料に露光する露光処理部４と、露光された感光材料を現像処理して乾燥し、プリントを作成するプリント作成部５を有し、作成されたプリントは、本体２の他側面に備えられたトレー６に排出される。
【００３０】
また、本体２はＣＲＴ（Ｃａｔｈｏｄｅ  Ｒａｙ  Ｔｕｂｅ）８、透過原稿入力装置９、反射原稿入力装置１０、操作部１１及び１１ａを上部に備え、画像読込部１４、画像書込部１５により構成される。
【００３１】
ＣＲＴ（Ｃａｔｈｏｄｅ  Ｒａｙ  Ｔｕｂｅ）８は、表示装置であり、画像の画質調整を行うための表示や、その他各種設定画面の表示及び各種入力媒体から取得した画像などを表示する。
【００３２】
透過原稿入力装置９は、ネガフィルムやポジフィルム等の光を通す透過原稿を読み込むための装置である。反射変更入力装置１０は、印刷物やカラープリント等の光を反射する不透明な素材の上に印刷されている反射原稿を読み込むための装置である。
【００３３】
操作部１１は、情報入力手段１２を備える。また、操作部１１ａは、例えばマウスであり、マウスによる操作が可能である。
【００３４】
画像読込部１４は、各種デジタル記録媒体に記録された画像情報を読み取るための装置である。画像読込部１４は、ＰＣカード用アダプタ１４ａ及びフロッピー（登録商標）ディスク用アダプタ１４ｂを有し、ＰＣカード１３ａやフロッピーディスク１３ｂを差し込むように構成される。従って、各アダプタにそれに対応する記録媒体を差し込むことにより、各記録媒体に画像データを読込む。記録媒体としては、ＰＣカード１３ａやフロッピーディスク１３ｂに限られず、マルチメディアカード、メモリースティック、ＭＯ、ＣＤ−ＲＯＭ（Ｃｏｍｐａｃｔ  Ｄｉｓｃ  Ｒｅａｄ  Ｏｎｌｙ  Ｍｅｍｏｒｙ）を用いてもよい。
【００３５】
画像書込部１５は、各種デジタル記録媒体に記録された画像情報を読み取るための装置である。画像書込部１５は、フロッピーディスク用アダプタ１５ａ、ＭＯ用アダプタ１５ｂ及び光ディスク用アダプタ１５ｃを有し、フロッピーディスク１６ａ、ＭＯ１６ｂ及び光ディスク１６ｃを差し込むように構成される。従って、各アダプタにそれに対応する記録媒体を差し込むことにより、各記録媒体に画像データを書き込む。なお、画像読込部１４や画像書込部１５などの各部は、制御部７（後述）が制御処理を行う。
【００３６】
なお、図１において、ＣＲＴ８、透過原稿入力装置９、反射原稿入力装置１０、画像読込部１４を、本体２が一体的に備える構成としたが、これに限られない。例えば、透過原稿入力装置９を別体として設ける構成としてもよい。また、感光材料に露光することにより現像し、プリントを作成する画像処理装置１としたが、プリント作成方式はこれに限られない。例えば、インクジェット方式、電子写真方式、感熱方式、昇華方式などの方式を用いる画像形成装置１としてもよい。
【００３７】
図２に、画像処理装置１の主要部構成を示す。画像処理装置１は、図２に示すように、露光処理部４、プリント作成部５、制御部７、ＣＲＴ８、透過原稿入力装置９、反射原稿入力装置１０、操作部１１及び１１ａ、画像読込部１４、画像書込部１５、データ蓄積部１７等により構成される。
【００３８】
透過原稿入力装置９は、アナログカメラＣ１で撮影された画像を現像した現像済みのネガフィルムＦやリバーサルフィルム等の透過原稿に記録された画像を読み取る。
【００３９】
反射原稿入力装置１０は、フラットベットスキャナ（図示省略）により、プリントＰに形成された画像を読み取る。
【００４０】
画像読込部１４は、デジタルカメラＣ２により撮影された画像データを記憶する、ＰＣカード１３ａやフロッピーディスク１３ｂから画像データを読み出し、読み出した画像データを制御部７へ送信する。ＰＣカード用アダプタ１４ａは、例えば、ＰＣカードリーダやＰＣカードスロットなどを用いる。
【００４１】
制御部７は、マイクロコンピュータ等により構成され、ＣＰＵ（Ｃｅｎｔｒａｌ  Ｐｒｏｃｅｓｓｉｎｇ  Ｕｎｉｔ）やＲＡＭ（Ｒａｎｄｏｍ  Ａｃｃｅｓｓ  Ｍｅｍｏｒｙ）等により構成される（図示省略）。ＣＰＵは、ＲＡＭなどの記憶部（図示省略）に記憶されている画像処理プログラム等の各種制御プログラムに従って、画像処理装置１を構成する各部の動作を制御する。なお、本実施例において、制御部７の記憶部には、アイコンを選択したときに実行されるプログラムが記憶され、図６に示す処理を実行する。
【００４２】
また、制御部７は内部に、画像処理部７０を格納する。操作部１１により信号が入力されると、透過原稿入力装置９や反射原稿入力装置１０により取得した画像データや、画像読込部１４により読込まれた画像データに対して、画像処理を実行することにより出力用画像データを生成する。そして、生成された出力用画像データを露光処理部４に出力する。画像処理部７０は、画像処理により生成された画像データに対して、出力形態に応じた画像データへ変換する処理を施して出力する。出力先としては、露光処理部４の他、ＣＲＴ８、画像書込部１５等がある。
【００４３】
データ蓄積部１７は、例えば、ＰＣ（Ｐｅｒｓｏｎａｌ  ＣｏｍＰｕｔｅｒ）等により構成され、ＨＤＤ（ハードディスク）等のＤＢ（データベース）格納手段１７ａを備えている。ＤＢ格納手段１７ａは、各入力手段から得られた画像やユーザが予め設定する画像処理内容等を格納している。また、ＤＢ格納手段１７ａは画像データと共に画像処理内容に対応づけられた入力メディア種（後述）、チャンネル番号（後述）等を記憶する。
【００４４】
操作部１１は、情報入力手段１２を有する。情報入力手段１２はカーソルキー、数字入力キー及び各種キーを備え、キーの押下に対応する操作信号を制御部７が有するＣＰＵに出力する。また、操作部１１ａも同様に、操作信号を制御部７が有するＣＰＵに出力する。
【００４５】
画像書込部１５は、制御部７による制御信号に従って、画像データをフロッピーディスク１６ａ、ＭＯ１６ｂ又は，光ディスク１６ｃへの書込み作業を行う。
【００４６】
ＣＲＴ８は、画像処理部７０により生成された画像データ等を表示する。
【００４７】
露光処理部４は、感光材料に画像の露光をし、画像が露光された感光材料をプリント作成部５に出力する。
【００４８】
プリント作成部５は、露光された感光材料を現像処理する。プリント作成部５の現像処理により、プリントＰ１、Ｐ２、Ｐ３が作成される。プリントＰ１は、パノラマサイズ、ハイビジョンサイズ、サービスサイズ等のプリントである。プリントＰ２は、Ａ４サイズのプリント、インデックスプリント等である。プリントＰ３は、名刺サイズのプリントである。また、プリント作成部５は、プリント時に出力物の裏面に画像処理内容を示す情報（後述）を印字する。
【００４９】
次に、図３に画像処理開始画面の概略構成図を示す。
【００５０】
図３に示す、画像処理開始画面（以下、ホーム画面１８）は、画像処理装置１を立ち上げると、最初に表示される標準の画面である。このホーム画面１８を基準にして、プリント作業、記録媒体への書込みが実行される。図３において、ホーム画面１８は、フィルム種アイコン１９、画質調整アイコン２０、入力メディアアイコン２１等により構成される。なお、ホーム画面１８は、図３に示すような構成としたが、これに限られない。
【００５１】
画質調整アイコン２０は、画像処理内容として、画質を調整する画質調整設定画面（後述）を呼び出すためのアイコンであり、カラーバランスや、コントラストを変更する際には、このアイコンを押下することにより設定画面を呼び出し、画質設定を行う。
【００５２】
フィルム種アイコン１９は、入力媒体種別のうち、ネガフィルムやリバーサルフィルム、白黒フィルム等により構成される。これらの透過原稿をプリントする時は、フィルム種アイコン１９を選択し、透過原稿を透過原稿入力装置９に入力する。このことにより、画像データの読み込みが開始され、画質設定画面で設定された画像処理内容に基づいて、画像処理が実行される。
【００５３】
入力メディアアイコン２１は、デジタルカメラ、フラットベットスキャナ等の画像処理対象となる入力媒体種別毎に表示されている。ユーザは、使用する入力媒体種別の入力メディアアイコン２１を押下する。入力メディアアイコン２１が押下されると、画像ファイル選択画面が起動する。その画像ファイル選択画面から、プリントする又はＣＤ−Ｒ等に書き込む画像を選択すると、画質設定画面で設定された画像処理内容に基づいて、画像処理が実行される。入力媒体種別にはその他に、フラットベッドスキャナやＣＤ−Ｒ等の各種メディア等である。
【００５４】
図４に、画像処理内容として、画質を調整するための画質調整設定画面２２を示す。
【００５５】
図４に示すように、画質調整設定画面２２は、画像処理内容を設定する画面であり、入力メディア種２３、画質設定２４、タイトル２５、設定切替２６、オフセット２７、基本階調２８、γバランス２９、削除ボタン３０、登録ボタン３１等により構成される。
【００５６】
入力メディア種２３は、カラーネガフィルム、リバーサルフィルム、白黒フィルム、デジタルカメラ、メディア、プリントコピー等により構成される。入力メディア種２３において、入力メディアが選択されると、その選択された入力メディアについての画像に対する画質調整設定が行われる。そして、ホーム画面１８のフィルム種アイコン１９及び入力メディアアイコン２１のうち、選択されたメディアのアイコンにその設定状態が表示される。例えば、入力メディア種２３において、デジタルカメラを選択し、画質調整設定を登録すると、ホーム画面１８の入力メディアアイコン２１のデジタルカメラ表示されたアイコンに、その旨が表示される（図５、参照）。従って、入力媒体毎に画質調整設定を登録すると、ホーム画面１８のフィルム種アイコン１９及び入力メディアアイコン２１が図５のように表示される。    
【００５７】
画質設定２４は、標準設定及びお好み設定で構成される。画質設定２４において、標準設定を選択すると、予め標準設定として設定された条件で画像処理が行われる。この、標準設定は、画像処理装置１の初期状態において、すでに登録されている設定である。入力メディア種２３を選択した後、標準設定を選択すると、設定切替２６のコントラスト（後述）のみ変更可能である。従って、お好み設定を選択すると、詳細な画質調整登録が可能であるため、ユーザは自由に画質調整を変更することができ、変更されたユーザ独自の画像処理内容にて画像処理が実行される。
【００５８】
タイトル２５は、画像処理の内容を示す関連情報標識となる、チャンネル番号２５ａ及びタイトル表示２５ｂにより構成される。チャンネル番号２５ａ及びタイトル表示２５ｂを設定する際は、タイトル入力画面（図示省略）が呼び出される。呼び出されたタイトル入力画面において、チャンネル番号２５ａ及びタイトル表示２５ｂを直接入力することにより、ユーザは自由に好みの番号及びタイトル名で登録ができる。そのことにより、画像処理対象である入力媒体表示と共に、画像処理内容を示す関連情報標識が表示される。例えば、結婚式の写真に対する画質調整設定を登録する場合、タイトル名をウェディングとして登録する。このことにより、次回、他の結婚式の写真をプリントする場合や、記録媒体へ書き込みする場合は、タイトル表示２５ｂにおいて、ウェディングを選択するだけで、それに対応づけられた画像処理内容で画像処理が実行される。タイトル２５は、用途に応じて複数設定される。
【００５９】
また、タイトル２５には、画像処理内容を示す代表的な絵（図５（ｂ）参照。）を選択可能なアイコンがあり（図示省略）、チャンネル番号２５ａ及びタイトル表示２５ｂを入力すると共に、そのアイコンを選択することにより、画像処理内容を示す代表的な絵の一覧を呼び出し、画像処理を施す画像に対応する絵を登録することができる。この画像処理内容を示す代表的な絵は予め登録されているが、ユーザにより新たに複数設定登録が可能である。例えば、エンドユーザである顧客（カメラマン等）の顔写真や、その顧客を特定する絵や記号等を複数登録できる。
【００６０】
設定切替２６は、コントラスト、シャープネス、逆光補正等から構成され、画質設定２４において、標準設定を選択した際は、コントラストのみ設定可能であり、お好み設定を選択した際は、すべて自由に設定可能である。
【００６１】
オフセット２７は、全体の色調を微調整するパラメータである。
【００６２】
基本階調２８は、メーカが提供する色再現データが登録されている。色再現データとしては、階調変換ルックアップテーブル、色強調度、色変換マトリクスなどが予め設定されている。機種毎及びフィルム種毎に基本階調２８を選択することにより、それに対応する最適な画像処理を行うことができる。基本階調２８を選択したのち、その他の設定を微調整することも可能である。
【００６３】
γバランス２９は、各輝度領域として、メイン、ハイライト、シャドー等により構成され、γバランスの微調整を行う。例えば、ハイライトのみを青くする等の調整が可能である。調整量は、スライドバーを用いて調整する構成としたが、これに限られず、直接数値を入力することにより調整する構成としてもよい。
【００６４】
削除ボタン３０は、予め設定された条件を削除する際に押下される。登録ボタン３１は、設定した画質調整内容を登録する際に押下される。
【００６５】
次に、図５（ａ）、（ｂ）、（ｃ）、（ｄ）にフィルム種アイコン１９及び入力メディアアイコン２１の拡大図を示す。
【００６６】
図５（ａ）に示すように、ホーム画面１８のフィルム種アイコン１９及び入力メディアアイコン２１は、画像処理対象である入力媒体の画像を表示したメディア表示３２と共に、画像処理内容を示す関連情報標識である画像処理内容表示３７で構成される。例えば、画像調整設定画面２２において、入力メディア種２３についてデジタルカメラを選択し、チャンネル番号２５ａを０１として、ユーザが自由に好みの画質設定を登録すると、ホーム画面１８の入力メディアアイコン２１が図５（ａ）のように表示される。
【００６７】
画質調整設定画面２２において、タイトル２５を登録する際に、画像処理内容を示す代表的な絵の一覧を呼び出し、画像処理を施す画像に対応する絵を登録すると、ホーム画面１８のフィルム種アイコン１９及び入力メディアアイコン２１は、図５（ｂ）のように表示される。また、画像処理内容を示す代表的な絵は、図５（ｂ）に示すように、例えば、ウェディング３３ａ、証明写真３３ｂ、風景３３ｃ等である。例えば、結婚式の画像に対する画像処理内容を登録する時に、画像調整設定画面２２において、入力メディア種２３についてデジタルカメラを選択し、画像処理を施す画像に対応する代表的な絵が登録された一覧からウェディング３３ａを選択すると、入力メディアアイコン２１は、図５（ｂ）のように表示される。
【００６８】
なお、図５（ａ）、（ｂ）において、画像処理内容表示３７は、チャンネル番号２５ａ又は代表する絵として表示される構成としたが、これに限られない。タイトル表示２５ｂを表示することも可能である。また、マウスカーソル３５は、画像処理装置１に備えられたポインティングデバイスによって表示されるカーソルである。
【００６９】
画質調整設定画面２２において、予め複数の画質調整設定が登録されている場合、ホーム画面１８のフィルム種アイコン１９又は入力メディアアイコン２１上に、マウスカーソル３５を移動させ、操作部１１又は１１ａによる操作を行うことにより（以下、マウスを右クリック）、図５（ｃ）に示すように、予め登録された複数のタイトル名をすべて含んだタイトル一覧表３４が表示される。タイトル一覧表３４が表示されると、その一覧の中から、希望する画像処理内容に対応づけられたタイトル表示２５ｂをマウスカーソル３５により選択する。タイトル表示２５ｂが選択されると、フィルム種アイコン１９又は入力メディアアイコン２１のうち、選択されたメディアアイコンが、選択されたメディアを示すメディア表示３２及び画像処理内容表示３７により表示される。それに伴って、画像処理内容も、予め設定されたその画像に対応する条件に変更される。なお、表示される画像処理内容表示３２は、チャンネル番号２５ａやタイトル表示２５ｂであり、特に限定されない。
【００７０】
図５（ｃ）に示すように、例えば、タイトル表示２５ｂとして、ウェディング、ポートレート、風景、証明写真が予め登録されているとする。デジタルカメラで撮影した人物画像をプリントしたい場合、デジタルカメラの画像が表示された入力メディアアイコン２１上にマウスカーソル３５を移動させ、マウスを右クリックすることにより、タイトル一覧表３４を表示させる。表示されたタイトル一覧表３４により、現時点の画質調整設定がウェディングであることが確認できる。現時点の画質調整設定を確認し、次にプリントしたい画像のタイトル、ポートレートを選択する。この選択により、画質調整設定が瞬時にポートレートに変更されると、その画像処理内容にて画像処理が実行される。
【００７１】
また、マウスを操作することにより、マウスカーソル３５がホーム画面１８のフィルム種アイコン１９又は入力メディアアイコン２１上を通過する時、現時点で設定されているタイトル表示２５ｂが、吹き出し表示３６される。例えば、現時点の設定内容がウェディングである場合、図５（ｄ）に示すように、マウスカーソル３５が通過するとウェディングと吹き出し表示３５が表示される。
【００７２】
以上のように、予め複数の画質調整設定を登録することにより、画質調整設定画面２２において、その都度設定を行う必要はなく、ホーム画面１８のフィルム種アイコン１９又は入力メディアアイコン２１を選択するだけで、最適な画像処理内容にて画像処理を実行することができる。このことにより、ホーム画面１８の画質調整アイコン２０により画質調整設定画面２２を呼び出し、画質調整を設定した後、再度、ホーム画面１８に戻り、フィルム種アイコン１９又は入力メディアアイコン２１を選択するという従来の手間を大幅に削減することができ、効率よく作業を進めることが可能である。
【００７３】
また、ホーム画面１８上のフィルム種アイコン１９及び入力メディアアイコン２１に、メディア表示３２と画像処理内容表示３７を合わせて表示することにより、ホーム画面１８の画質調整アイコン２０から画質調整画面２２を呼び出し、画質調整画面２２を確認する必要はなく、ホーム画面１８のフィルム種アイコン１９及び入力メディアアイコン２１を見るだけで、現時点の設定内容を把握することが可能である。従って、ホーム画面１８のアイコンのみでは、現時点の設定が把握できないことによる不安感をなくし、常に、設定内容を確認できるため、安心して作業を進めることができる。また、マウスカーソル３５が通過するときに、タイトル表示２５ｂを表示させることにより視覚的に分かりやすく、現時点の設定内容を把握することができる。このことにより、画像調整画面２２を呼び出すという手間を省くことができ、作業効率をさらに促進することが可能である。
【００７４】
また、ホーム画面１８のフィルム種アイコン１９又は入力メディアアイコン２１において、そのアイコン上で操作を行うことにより、タイトル表示一覧表３４を表示し、そのタイトル表示一覧表３４から予め登録された画質設定へ変更可能であるため、現時点の画質設定から次に使用する画質設定への変更が容易である。画質調整設定画面２２を呼び出し、設定を変更する、という従来の手間を削減でき、迅速なサービスを提供することが可能である。
【００７５】
また、入力メディア種２３やチャンネル番号２５ａは、プリント時に出力物の裏面に印字可能である。そのため、再プリント時には、これらの情報を元に同じプリントを再現することができる。さらに、元画像と共に入力メディア種２３やチャンネル番号２５ａ等の画像処理内容を示す情報をＨＤＤ等に保存しておくことにより、同様の効果を得られる。このことにより、再プリント依頼時にユーザは、再度、画質調整設定を行う必要はなく、作業効率の向上が実現できると共に、確実に顧客の要望するプリント処理を行うことが可能である。
【００７６】
さらに、このシステムを利用してエンドユーザに画像処理を施したプリントやＣＤ−Ｒ等を提供するサービスを行う際は、そのエンドユーザごとに画像処理内容を登録可能である。例えば、複数のカメラマンを顧客に持つ場合、カメラマン毎にお好みの画像処理内容を設定し、タイトル２５にカメラマンの名前や画像、その他そのカメラマンを指定する記号等を設定することで、カメラマン毎にカスタマイズした画像を提供することが可能である。このことにより、再度、画像処理内容を説明する手間を省き、顧客の満足度も向上させることが可能である。また、ホーム画面１８に表示される各種入力媒体のアイコン上に、カメラマンの顔画像などを表示可能であるため、設定変更や設定確認が容易であるため、顧客に対して迅速なサービスを提供できる。
【００７７】
なお、フィルム種アイコン１９及び入力メディアアイコン２１は、各メディアに１つずつ設ける構成としたが、同じ種類のメディア表示３２からなるフィルム種アイコン１９及び入力メディアアイコン２１を複数並べる構成としてもよい。また、マウスを用いる操作としたが、これに限られない。
【００７８】
次に、図６（ａ）、（ｂ）のフローチャートを参照して、入力メディアアイコン２１について実行される処理について説明する。
【００７９】
まず、図６（ａ）のフローチャートを参照して、フィルム種アイコン１９及び入力メディアアイコン２１に対応する画像処理内容登録における処理について説明する。
【００８０】
ホーム画面１８の画質調整アイコン２０により、画像処理内容を設定するための画質調整設定画面２２が表示される（ステップＳ１）。ステップＳ１において、画質調整設定画面２２が表示されると、登録したいアイコンの入力メディア種２３が選択される（ステップＳ２）。ステップＳ２において入力メディア種２３が選択されると、タイトルの入力や、必要であれば、自由に好みの画質設定が行われる（ステップＳ３）。ステップＳ３において、お好みの画質設定が行われる、つまり、コントラストやγバランスなどの微調整が終了すると、登録ボタン３１が押下され（ステップＳ４）、このことにより画質調整設定、つまり、画像処理内容が登録される。
【００８１】
次に、図６（ｂ）のフローチャートを参照して、図６（ａ）の処理において設定された画像処理内容をフィルム種アイコン１９及び入力メディアアイコン２１に表示させる方法について説明する。
【００８２】
ホーム画面１８のフィルム種アイコン１９及び入力メディアアイコン２１のうち、画像を読み込む入力媒体種別のアイコン上で、マウスを右クリックすることにより希望する画像処理内容に対応づけられたチャンネル番号２５ａ又はタイトル表示２５ｂが選択されると、まず、制御部７は押下された入力媒体種別を取得する（ステップＳ５）。ステップＳ５により、入力媒体種別を取得すると、次に、データ蓄積部１７のデータベース１７ａに格納されている、その入力媒体種別に登録された画像処理内容の中から、選択されたチャンネル番号２５ａ又はタイトル表示２５ｂに対応づけられた画像処理内容を取得する（ステップＳ６）。ステップＳ６において、チャンネル番号２５ａ又はタイトル表示２５ｂに対応づけられた画像処理内容を取得すると、その画像処理内容に設定を変更すると共に、ホーム画面１８の選択された入力媒体種別のアイコンに、取得したチャンネル番号２５ａ又はタイトル表示２５ｂを表示する（ステップＳ７）。
【００８３】
上述した処理により表示された入力メディアアイコン２１を選択した場合、このアイコンを押下するだけで指定した画像に対応づけられた画像処理内容にて画像処理が実行される。フィルム種アイコン１９を選択した場合は、透過原稿を透過原稿入力装置９に挿入することにより設定された画像処理内容で画像処理が実行される。さらに、フィルム種アイコン１９及び入力メディアアイコン２１のみで、設定が変更された旨が把握される。
【００８４】
例えば、入力媒体デジタルカメラについて、０１ウェディング、０２証明写真として画像処理内容がそれぞれ設定登録してあるとする。今、ホーム画面１８の入力メディアアイコン２１のうちデジタルカメラの入力メディアアイコン２１について、メディア表示３２がデジカメ、チャンネル番号２５ａが０２で表示されていると、画像処理内容が証明写真用に設定してあることが確認できる。次、画像処理をしたい画像が、デジタルカメラで撮影された結婚式の画像である場合、図６（ｂ）の方法により、チャンネル番号２５ａ０１を指定すると、ホーム画面１８の入力メディアアイコン２１において、チャンネル番号２５ａ表示が変更されるとともに、０１ウェディングとして登録されている画像処理内容に画質調整設定が変更されるのである。
【００８５】
以上のように、予め複数の画質調整設定を登録しておくことにより、ホーム画面１８において、画像処理を実行したい入力メディアの画像に対する画質調整設定を変更することが可能である。これにより、画質調整設定画面２２を呼び出し設定変更を行った後、再度ホーム画面１８に戻るという作業を省くことができるため、作業効率の向上が実現できる。  
【００８６】
次に、図７のフローチャートを参照して、デジタルカメラ画像の画像処理作業の一例を説明する。
【００８７】
まず、ユーザがホーム画面１８の入力メディアアイコン２１のうち、選択した入力メディアアイコン２１上でのマウス操作により、予め登録された複数のタイトル表示２５ｂから希望するチャンネルが指定される（ステップＰ１）。ステップＰ１において、希望するチャンネルが指定されると、入力メディアアイコン２１を押下することにより、画像選択画面（図示省略）が呼び出される。呼び出された画像データフォルダにおいて、プリントする画像群が指定される（ステップＰ２）。ステップＰ２において、プリントする画像群が指定されると、その指定された画像群に設定されている画像処理データが取得される（ステップＰ３）。ステップＰ３において、画像処理データが取得されると、画像ファイルが読込まれ（ステップＰ４）、制御部７の画像処理部７０により、モニタ用画像処理が実行される（ステップＰ５）。ステップＰ５において、モニタ用画像処理が実行されると、ＣＲＴ８に画像処理後の画像のプレビューが表示される（ステップＰ６）。
【００８８】
ステップＰ６において、ＣＲＴ８に画像処理後の画像が表示されると、表示された画像がユーザにより確認される。そして、ユーザによる画像補正が実行されたか否かが判定される（ステップＰ７）。ステップＰ７において、ユーザによる画像補正が実行されたと判定された場合（ステップＰ７；ＹＥＳ）、再度、ステップＰ５に戻り、モニタ用画像処理が実行される。このユーザによる補正は複数回実行が可能である。そのためユーザは、予め設定された画像処理内容に基づいて画像処理が施された画像を確認し、納得のいくまで画質補正を行うことが可能である。
【００８９】
ステップＰ７において、ユーザによる画像補正が実行されなかったと判定された場合（ステップＰ７；ＮＯ）、制御部７の画像処理部７０により、プリント用画像処理が実行される（ステップＰ８）。ステップＰ８において、プリント用画像処理が実行されると、露光処理部４へ画像処理が終了した画像が転送される（ステップＰ９）。ステップＰ９において、露光処理部４へ画像が転送されると、オーダが終了したか否かが判定される（ステップＰ１０）。ステップＰ１０において、オーダが終了したと判定された場合（ステップＰ１０；ＹＥＳ）、画像処理作業が終了する。ステップＰ１０において、オーダが終了していないと判定された場合（ステップＰ１０；ＮＯ）、再度、ステップ４に戻り、ステップＰ４〜Ｐ１０の処理が繰り返される。
【００９０】
以上のように、予め複数の画像調整設定が登録されていれば、ホーム画面１８のフィルム種アイコン１９又は入力メディアアイコン２１から希望するチャンネルを選択できることにより、画質調整設定画面２２における入力メディア種２３の選択し直しや、画質調整設定のし直しを行うことなく、ユーザのお好みの画像処理内容により画像処理を実行できる。そのため、プリント作業へ至るまでの作業時間を短縮でき、作業効率を良くすることが可能であり、迅速なサービスを提供できる。
【００９１】
また、チャンネル選択により画像調整設定を即座に行い、プレビュー表示することで画像処理後の画像を確認できる。この確認作業により、画像処理後の画像に対して必要であれば、再度、画像調整設定を変更することが可能である。この、ユーザによる補正作業は複数回実行可能であるため、ユーザは納得のいくまで画像調整設定を行うことができる。これにより、予め画像処理内容が設定されていても、その設定内容に限定されることなく、ユーザは画像を確認しながら追加補正が可能であるため、作業の自由度が向上される。
【００９２】
なお、本発明は画像処理装置に限られるものではなく、他の装置等にも適用でき、同様の効果を得ることが可能である。
【図面の簡単な説明】
【００９３】
【図１】本実施形態に係る画像処理装置の概観構成を示す斜視図である。
【図２】図１の画像処理装置の主要部構成を示すブロック図である。
【図３】図１の画像処理装置の標準画面を示す概略図である。
【図４】本実施形態の画像処理装置において、画質を調整するための画質調整画面の一例である。
【図５】図３の標準画面を構成する、フィルム種アイコン及び入力メディアアイコンの拡大図である。
【図６】本実施形態において、フィルム種アイコン及び入力メディアアイコンについて実行される処理を示すフローチャートである。
【図７】本実施形態において実行される、画像処理作業の一例を示すフローチャートである。
【符号の説明】
【００９４】
１  画像処理装置
２  本体
３  マガジン装填部
４  露光処理部
５  プリント作成部
６  トレー
７  制御部
８  ＣＲＴ
９  透過原稿入力装置
１０  反射原稿入力装置
１１、１１ａ  操作部
１２  情報入力手段
１３ａ  ＰＣカード
１３ｂ  フロッピーディスク
１４  画像読込部
１４ａ  ＰＣカード用アダプタ
１４ｂ  ディスク用アダプタ
１５  画像書込部
１５ａ  フロッピーディスク用アダプタ
１５ｂ  ＭＯ用アダプタ
１５ｃ  光ディスク用アダプタ
１６ａ  フロッピーディスク
１６ｂ  ＭＯ
１６ｃ  光ディスク
１７  データ蓄積手段
１７ａ  データベース格納手段
１８  ホーム画面
１９  フィルム種アイコン
２０  画質調整アイコン
２１  入力メディアアイコン
２２  画質調整設定画面
２３  入力メディア種
２４  画質設定
２５  タイトル
２５ａ  チャンネル番号
２５ｂ  タイトル表示
２６  設定切替
２７  オフセット
２８  基本階調
２９  γバランス
３０  削除ボタン
３１  登録ボタン
３２  メディア表示
３３ａ  ウェディング表示
３３ｂ  証明写真表示
３３ｃ  風景表示
３４  タイトル一覧表
３５  マウスカーソル
３６  吹き出し表示
３７  画像処理内容表示
【図１】
2006227740.tif 000003
【図２】
2006227740.tif 000004
【図３】
2006227740.tif 000005
【図４】
2006227740.tif 000006
【図５】
2006227740.tif 000007
【図６】
2006227740.tif 000008
【図７】
2006227740.tif 000009